(57)【特許請求の範囲】
【請求項１】
ファンフォールド紙の両側に形成された送り孔に係合する複数のピンが外周に形成された回転体と、
前記回転体を回転自在に支持するトラクタ本体と、
前記トラクタ本体に起伏自在に支持されて前記ファンフォールド紙を押える蓋と、
前記トラクタ本体の給紙方向の端部から連続され前記ファンフォールド紙の給紙方向に向けて嘴状に延長されて前記ファンフォールド紙の両面を案内する対の案内突部と、
を備えるとともに、前記案内突部は前記案内突部の前記ファンフォールド紙の搬送方向下流側に存在し前記ファンフォールド紙を押圧する部材まで延伸していることを特徴とするトラクタ。
【請求項２】
請求項１記載のトラクタと、
前記トラクタの前記案内突部の上方に配置されてカット紙とファンフォールド紙との給紙経路を切り替えるパスチェンジガイドと、
を備えるプリンタ。
【発明の詳細な説明】
【０００１】
【発明の属する技術分野】
本発明は、ファンフォールド紙を給紙するトラクタ及びプリンタに関する。
【０００２】
【従来の技術】
まず、図３を参照し、ファンフォールド紙を用いるプリンタＰについて説明する。用紙ガイド１に保持されたプラテン２に印字ヘッド３が対向配置されている。この印字ヘッド３はプラテン２の長手方向（図３における紙面に対して垂直な方向）に沿って往復駆動されるキャリッジ（図示せず）に搭載されている。用紙搬送方向におけるプラテン２の上流側と下流側とにはフィードローラ４，５が回転自在に設けられ、これらのフィードローラ４，５にはピンチローラ６，７が接離自在に対向配置されている。８はフィードローラ４とピンチローラ６との間にカット紙（図示せず）を案内する用紙ガイドで、この用紙ガイド８の下方には用紙ガイド９が所定の間隔を開けて設けられている。これらの用紙ガイド８，９の上流には、カット紙を給紙する場合と、ファンフォールド紙１０を用いる場合とで、給紙経路を切り替えるパスチェンジガイド１１が支点軸１２を中心に回動自在に設けられている。
【０００３】
次に、ファンフォールド紙１０を給紙する場合に用いる従来のトラクタ１３について説明する。トラクタ１３は、プリンタＰが備える相対向する側板（図示せず）に支持されたガイド軸１４と駆動軸１５とに摺動自在で任意位置に固定可能に支持されたトラクタ本体１６を備えている。トラクタ本体１６は搬送するファンフォールド紙１０の両側に配置されるように対をなし、これらのトラクタ本体１６にはファンフォールド紙１０を押える蓋１７がヒンジ（図示せず）によって起伏自在に取り付けられている。さらに、トラクタ本体１６には、駆動軸１６に対して軸方向には摺動自在であって回転方向にはこの駆動軸１５により駆動されるプーリ(図示せず)と、このプーリの略半周とトラクタ本体１６の外周の一部とに巻回されたベルト(図示せず)とが組み込まれている。ベルトはファンフォールド紙１０の両側に等間隔で形成された送り孔(図示せず)に係合する複数のピン(図示せず)を外周に備えている。また、蓋１７にはベルトのピンとの干渉を避けるための長孔１８が形成されている。
【０００４】
このようなプリンタＰでは、ファンフォールド紙１０を用いる場合には、図３に示すようにパスチェンジガイド１１を時計方向に回動させて、その下部と用紙ガイド９との間の間隔を開ける。そして、トラクタ１３の蓋１７を仮想線で示すように上方に起こし、ファンフォールド紙１０の両側に形成された送り孔をトラクタ１３が有するベルトの外周に形成されたピンに係合した後に、蓋１７を倒伏させる。
【０００５】
ファンフォールド紙１０を給紙するときは、印字ヘッド３の下流側に配置されたフィードローラ５にピンチローラ７を接触させるが、上流側のフィードローラ４からはピンチローラ６を離しておく。そして、トラクタ１３によりファンフォールド紙１０を送り込み、トラクタ１３の送り量より僅かに送り量を大きく定めたフィードローラ５とピンチローラ７とによりファンフォールド紙１０を引っ張るようにして給紙を行なう。
【０００６】
カット紙を使用するときは、支点軸１２を中心にパスチェンジガイド１１を反時計方向に回動させて、パスチェンジガイド１１と用紙ガイド８との間の間隔を開け、両者の間からカット紙を給紙する。この場合には、全てのフィードローラ４，５にピンチローラ６，７を接触させる。
【０００７】
【発明が解決しようとする課題】
ところで、ファンフォールド紙１０には一定の間隔でミシン目が形成され、このミシン目の部分で折り目１０ａが形成されている。また、プラテン２と印字ヘッド３と間のギャップは狭い一定の値に定められているので、両者のギャップに折り目１０ａが近づくとファンフォールド紙１０は抵抗を受ける。伝票発行用のファンフォールド紙１０は複数枚綴りで、折り目１０ａの近傍で紙ホチキスにより綴じられているものもある。このような場合にはファンフォールド紙１０が受ける抵抗はさらに大きくなる。
【０００８】
一方、カット紙とファンフォールド紙１０との給紙経路を切り替えるパスチェンジガイド１１を備えたプリンタＰでは、パスチェンジガイド１１の回動動作を許容し、且つ、このパスチェンジガイド１１に蓋１７が干渉しないようにトラクタ１３を配置しなければならない。これにより、トラクタ１３とパスチェンジガイド１１との間にはある程度の空間１９が発生する。
【０００９】
したがって、プラテン２と印字ヘッド３とによりファンフォールド紙１０が受ける抵抗が大きい場合には、空間１９でファンフォールド紙１０が膨らみ易い。この膨らみによりファンフォールド紙１０の直進性が損なわれるので、この状態でさらにファンフォールド紙１０がトラクタ１３により送り込まれると、膨らみがさらに大きくなりジャムの発生原因となってしまう。
【００１０】
下流側のフィードローラ５とピンチローラ７とによる送り量をさらに大きくすると、ファンフォールド紙１０が緊張し過ぎて送り孔が破けるため、フィードローラ５とピンチローラ７とによる送り量を大きくするには限度がある。また、パスチェンジガイド１１の下方に、上下で対をなす用紙ガイドを別個に設けると、空間１９を小さくしてファンフォールド紙１０の膨らみを規制することができるが、これらの用紙ガイドを支持するための部材を必要とするので、パスチェンジガイド１１の動作空間が確保できにくくなり、しかも部品点数が増加する。
【００１１】
本発明はこのような点に鑑みなされたもので、ジャムの防止に寄与し得るトラクタを提供することを目的とするものである。
【００１２】
【課題を解決するための手段】
請求項１記載のトラクタは、ファンフォールド紙の両側に形成された送り孔に係合する複数のピンが外周に形成された回転体と、前記回転体を回転自在に支持するトラクタ本体と、前記トラクタ本体に起伏自在に支持されて前記ファンフォールド紙を押える蓋と、前記トラクタ本体の給紙方向の端部から連続され前記ファンフォールド紙の給紙方向に向けて嘴状に延長されて前記ファンフォールド紙の両面を案内する対の案内突部とを備えるとともに、前記案内突部は前記案内突部の前記ファンフォールド紙の搬送方向下流側に存在し前記ファンフォールド紙を押圧する部材まで延伸している。
【００１３】
したがって、ファンフォールド紙は回転する回転体により送られ、蓋の下を通り抜けたファンフォールド紙はさらに対をなす案内突部の間で案内されて給紙される。
【００１４】
請求項２記載のプリンタは、請求項１記載のトラクタと、前記トラクタの前記案内突部の上方に配置されてカット紙とファンフォールド紙との給紙経路を切り替えるパスチェンジガイドとを備える。
【００１５】
したがって、トラクタの案内突部により案内されたファンフォールド紙は、次にパスチェンジガイドにより案内されて給紙される。
【００１６】
【発明の実施の形態】
本発明の一実施の形態を図１及び図２に基づいて説明する。プリンタＰの構成については図３において説明した構成と同様につき、同一符号を用い説明も省略する。
【００１７】
本実施の形態におれるトラクタ２０は、プリンタＰが備える相対向する側板（図示せず）に支持されたガイド軸２１と駆動軸２２とに摺動自在で任意位置に固定可能に支持されたトラクタ本体２３を備えている。トラクタ本体２３は搬送するファンフォールド紙１０の両側に配置されるように対をなし、これらのトラクタ本体２３にはファンフォールド紙１０を押える蓋２４がヒンジ２５（図２参照）によって起伏自在に取り付けられている。さらに、トラクタ本体２３には、駆動軸２２に対して軸方向には摺動自在であって回転方向にはこの駆動軸２２により駆動されるプーリ(図示せず)が組み込まれ、このプーリの略半周とトラクタ本体２３の外周の一部とに回転体としてのベルト２６（図２参照）が巻回されている。ベルト２６は、ファンフォールド紙１０の両側に等間隔で形成された送り孔(図示せず)に係合する複数のピン２７を外周に備えている。
【００１８】
図２において、２８は駆動軸２２に対して軸方向には摺動自在で回転方向には駆動軸２２とともに回転するブッシュである。このブッシュ２８はトラクタ本体２３に回転自在に保持されている。なお、このブッシュ２８は、それ自体が単体であってもよく、また、前述したベルト２６が巻回されるプーリの一部であってもよい。さらに、ピン２７を有する回転体はベルト２６に限られるものではなく、スプロケットホイールを用いてもよい。
【００１９】
さらに、トラクタ本体２３の端部には、ファンフォールド紙１０の給紙方向に向けて嘴状に延長された案内突部２９と、この案内突部２９の外側縁から連続されてファンフォールド紙１０を押える案内突部３０と、この案内突部３０から給紙方向とは反対側に向かうに従い上方に傾斜する傾斜片３１とが一体に形成されている。案内突部３０の上方にはバスチェンジガイド１１が配置され、案内部突部３０の先端はパスチェンジガイド１１の支点軸１２の真下まで伸びている。また、傾斜片３１は蓋２４との干渉を避けるように配置されている。なお、蓋２４にはベルト２６のピン２７との干渉を避けるための長孔３２が形成されている。
【００２０】
このような構成において、ファンフォールド紙１０を用いる場合には、図１に示すようにパスチェンジガイド１１を時計方向に回動させて、その下部と用紙ガイド９との間に間隔を開ける。そして、図１に仮想線で示すように、また図２に示すように、トラクタ２０の蓋２４を上方に起こし、ファンフォールド紙１０の両側に形成された送り孔をベルと２６のピン２７に係合し、蓋２４を倒伏させる。そして、駆動軸２２を駆動してトラクタ２０のベルト２６を回転させることにより、ファンフォールド紙１０を印字ヘッド３側に送り込み、ベルと２６による送り量より僅かに送り量を大きく定めたフィードローラ５とピンチローラ７とによりファンフォールド紙１０を引っ張るようにして給紙を行なう。
【００２１】
このとき、蓋２４の下を抜けたファンフォールド紙１０は、さらに傾斜片３１により案内突部２９，３０の間に導かれる。ファンフォールド紙１０が案内突部２９，３０の間から抜け出た部分は、パスチェンジガイド１１の下面が近接しているので、ファンフォールド紙１０は下流側のプラテン２と印字ヘッド３とから抵抗を受けたとしてもパスチェンジガイド１１により下方の用紙ガイド９側に押えられるため、膨らみが規制され、直進性が増す。これにより、ジャムの発生を防止することができる。
【００２２】
また、蓋２４を通り抜けたファンフォールド紙１０をパスチェンジガイド１１に受け渡す案内突部２９，３０は、トラクタ本体２３に一体に形成されているため、別部材を用いることなく、且つ、小さなスペースで支持することができる。さらに、パスチェンジガイド１１の回動動作に必用なスペースを制限することなく案内突部２９，３０を配置することができる。
【００２３】
【発明の効果】
請求項１記載の発明によれば、トラクタ本体の給紙方向の端部に、給紙方向に向けて延長されてファンフォールド紙の両面を案内する対の案内突部を連続させて形成したので、ファンフォールド紙をトラクタ本体に設けられた回転体により送り、蓋の下を通り抜けた後も対の案内突部の間で案内して給紙することができる。これにより、ファンフォールド紙の直進性を増すことができる。
【００２４】
また、請求項２記載の発明によれば、トラクタの案内突部の上方にパスチェンジガイドを配置したので、パスチェンジガイドの上流側におけるファンフォールド紙の膨らみを対の案内突部により規制し、ジャムの発生を防止することができる。
【図面の簡単な説明】
【図１】本発明の一実施の形態におけるプリンタとトラクタとの関係を示す縦断側面図である。
【図２】トラクタの斜視図である。
【図３】プリンタと従来のトラクタとの関係を示す縦断側面図である。
【符号の説明】
１０  ファンフォールド紙
１１  パスチェンジガイド
２３  トラクタ本体
２４  蓋
２６  回転体
２７  ピン
２９，３０  案内突部
【図１】
0003875427.tif 000002
【図２】
0003875427.tif 000003
【図３】
0003875427.tif 000004